(57)【要約】【課題】箱などの被包装物を包装フィルムの内部空間から容易に取り外すことができたり、あるいは包装フィルムの内部空間に容易に挿入することができる、包装体及びその製造方法を提供する。【解決手段】本発明に係る包装体は、被包装物と、被包装物の外面に巻き付けられる包装フィルムと、を備え、被包装物の外面において、少なくとも包装フィルムと当接する領域には、エンボス加工が施されており、包装フィルムにおいて、被包装物と当接する領域には、メジウムが塗布されている。【選択図】図７
2017088213.tif 000002
【特許請求の範囲】
【請求項１】
被包装物と、
前記被包装物の外面に巻き付けられる包装フィルムと、
を備え、
前記被包装物の外面において、前記包装フィルムと当接する領域の少なくとも一部には、エンボス加工が施されており、
前記包装フィルムにおいて、前記被包装物の外面のうちエンボス加工が施された領域と当接する領域の少なくとも一部には、メジウムが塗布されている、包装体。
【請求項２】
前記被包装物は、少なくとも一部に角部が形成された断面を有しており、
当該角部が形成された断面を有する領域を周回するように、前記包装フィルムが巻き付けられている、請求項１に記載の包装体。
【請求項３】
前記被包装物は、少なくとも一部に多角形状の断面を有しており、
当該多角形状の断面を有する領域を周回するように、前記包装フィルムが巻き付けられている、請求項１に記載の包装体。
【請求項４】
前記包装フィルムの表面には４μｍ以上の高低差の凹凸が形成され、当該凹凸を覆うように前記メジウムが塗布されている、請求項１から３のいずれかに記載の包装体。
【請求項５】
前記エンボス加工により、前記被包装物の外面には、１５μｍ以上の高低差を有する凹凸が形成されている、請求項１から４のいずれかに記載の包装体。
【請求項６】
前記包装フィルムがシュリンク加工により、前記被包装物の外面に巻き付けられている、請求項１から５のいずれかに記載の包装体。
【請求項７】
外面の少なくとも一部にエンボス加工が施された少なくとも１つの被包装物を準備する第１ステップと、
筒状に形成された内部空間を少なくとも１つ有し、前記内部空間を構成する壁面にメジウムが塗布された包装フィルムを準備する第２ステップと、
前記包装フィルムの内部空間に、前記被包装物を挿入する第３ステップと、
を備えている、包装体の製造方法。
【請求項８】
前記第３ステップの後、前記包装フィルムをシュリンク加工することで、当該包装フィルムを前記被包装物の外面に密着させる第４ステップをさらに備えている、請求項７に記載の包装体の製造方法。
【請求項９】
前記包装フィルムには、複数の前記内部空間が隣接するように設けられ、
複数の前記被包装物が、異なる形状をなしており、
前記第３ステップでは、前記包装フィルムの各内部空間に、前記複数の被包装物がそれぞれ挿入される、請求項７または８に記載の包装体の製造方法。
【発明の詳細な説明】
【技術分野】
【０００１】
本発明は、包装体及びその製造方法に関する。
【背景技術】
【０００２】
従来より、商品としての箱に包装フィルムを巻き付けた包装体を販売することがあった（例えば、特許文献１）。包装フィルムには、印刷を施して広告用として用いたり、あるいは複数の箱を固定するために用いたりされている。
【先行技術文献】
【特許文献】
【０００３】
【特許文献１】特開２００９―１３２４３２号公報
【発明の概要】
【発明が解決しようとする課題】
【０００４】
このような包装フィルムは、例えば、フィルム材を筒状に加工し、内部空間を形成したものが用いられることがあり、この内部空間に箱が挿入される。しかしながら、箱にはデザインのためにエンボス加工を施したものが用いられることがあり、このような箱に筒状のフィルムを巻き付けた包装体は、エンボス加工による摩擦力によって箱を包装フィルムから取り出しにくいという問題があった。また、このような包装体の製造工程において、通常の箱を包装フィルムの内部空間に挿入する際には、挿入性が問題とならないものの、エンボス加工が施された箱を内部空間に挿入する際には、挿入が非常に困難になるという問題があり、製造効率が顕著に低下していた。そのため、内部空間の内径を箱に対して大きめに設けるという方法がとられたが、外観が悪くなるという問題があった。特に、シュリンク加工を行う際には包装フィルムに余分が生じて外観の悪化が顕著であった。また、箱のエンボス加工に対して、滑り性を向上させるために表面に更に加工を施すと、外観が悪くなってしまうという問題もあった。
【０００５】
本発明は、上記問題を解決するためになされたものであり、箱などの被包装物を包装フィルムの内部空間から容易に取り外すことができたり、あるいは包装フィルムの内部空間に容易に挿入できたりすることができる、包装体及びその製造方法を提供することを目的とする。
【課題を解決するための手段】
【０００６】
本発明に係る包装体は、被包装物と、前記被包装物の外面に巻き付けられる包装フィルムと、を備え、前記被包装物の外面において、前記包装フィルムと当接する領域の少なくとも一部には、エンボス加工が施されており、前記包装フィルムにおいて、前記被包装物の外面のうちエンボス加工が施された領域と当接する領域の少なくとも一部には、メジウムが塗布されている。
【０００７】
この構成によれば、被包装物の外面にエンボス加工が施されていても、包装フィルムにおいて、被包装物と当接する領域にメジウムが塗布されているため、この領域における滑り性を向上することができる。そのため、被包装物を包装フィルムから取り外す際に、被包装物が包装フィルムに引っ掛かるのを防止することができる。その結果、被包装物をスムーズに包装フィルムから取り外すことができる。また、メジウムは、一般的には、透明であるため、包装フィルムが透明である場合には、その透過性を阻害することがない。
【０００８】
上記包装体において、前記被包装物は、少なくとも一部に角部が形成された断面を有しており、当該角部が形成された断面を有する領域を周回するように、前記包装フィルムが巻き付けられているものとすることができる。
【０００９】
被包装物が、角部が形成された断面を有する場合には、包装フィルムに引っ掛かりやすいが、そのような場合でも、メジウムによって滑り性が向上しているため、被包装物を包装フィルムからスムーズに取り外すことができる。
【００１０】
上記包装体において、前記被包装物は、少なくとも一部に多角形状の断面を有しており、当該多角形状の断面を有する領域を周回するように、前記包装フィルムが巻き付けられているものとすることができる。
【００１１】
被包装物が、多角形状の断面を有する場合にも、包装フィルムに引っ掛かりやすいが、そのような場合でも、メジウムによって滑り性が向上しているため、被包装物を包装フィルムからスムーズに取り外すことができる。
【００１２】
上記各包装体において、前記包装フィルムの表面には４μｍ以上の高低差の凹凸を形成することができ、当該凹凸を覆うように前記メジウムを塗布することができる。前記包装フィルムの表面に、４μｍ以上の高低差を有する凹凸がある場合、被包装物が包装フィルムにより引っ掛かりやすくなり、５μｍ以上の高低差がある場合、さらに引っ掛かりやすくなるが、このような場合でも、メジウムによって滑り性が向上しているため、被包装物を包装フィルムからスムーズに取り外すことができる。なお、前記被包装物の外面に形成される、前記凹凸の高低差の上限としては、例えば、２０μｍであることがあげられる。
【００１３】
包装フィルムに、上記のような凹凸が形成されていると、被包装物が包装フィルムに引っ掛かりやすいが、そのような場合でも、メジウムによって滑り性が向上しているため、被包装物を包装フィルムからスムーズに取り外すことができる。
【００１４】
上記各包装体においては、種々のエンボス加工を施すことができるが、前記エンボス加工により、前記被包装物の外面に、１５μｍ以上の高低差を有する凹凸を形成することができる。
【００１５】
被包装物の外面に、１５μｍ以上の高低差を有する凹凸がある場合、被包装物が包装フィルムにより引っ掛かりやすくなり、１８μｍ以上の高低差がある場合、さらに引っ掛かりやすくなるが、このような場合でも、メジウムによって滑り性が向上しているため、被包装物を包装フィルムからスムーズに取り外すことができる。なお、前記被包装物の外面に形成される、前記凹凸の高低差の上限としては、例えば、３５μｍであることがあげられる。
【００１６】
上記各包装体においては、前記包装フィルムがシュリンク加工により、前記被包装物の外面に巻き付けられているものとすることができる。
【００１７】
シュリンク加工が施される場合には、被包装物と包装フィルムとがより密着するため、被包装物が包装フィルムに引っ掛かりやすいが、そのような場合でも、メジウムによって滑り性が向上しているため、被包装物を包装フィルムからスムーズに取り外すことができる。
【００１８】
本発明に係る包装体の製造方法は、外面の少なくとも一部にエンボス加工が施された少なくとも１つの被包装物を準備する第１ステップと、筒状に形成された内部空間を少なくとも１つ有し、前記内部空間を構成する壁面にメジウムが塗布された包装フィルムを準備する第２ステップと、前記包装フィルムの内部空間に、前記被包装物を挿入する第３ステップと、を備えている。
【００１９】
この構成によれば、被包装物の外面にエンボス加工が施されていても、包装フィルムにおいて、被包装物と当接する領域にはメジウムが塗布されているため、この領域における滑り性を向上することができる。そのため、被包装物を包装フィルムの内部空間に挿入する際に、被包装物が包装フィルムに引っ掛かるのを防止することができる。その結果、被包装物をスムーズに包装フィルムへ挿入でき、製造効率を大きく向上することができる。
【００２０】
上記包装体の製造方法においては、前記第３ステップの後、前記包装フィルムをシュリンク加工することで、当該包装フィルムを前記被包装物の外面に密着させる第４ステップをさらに備えることができる。
【００２１】
シュリンク加工が施される場合には、シュリンク加工後の外観を良好に保つために、包装フィルムの内部空間の壁面と、被包装物との隙間が小さくなるように、寸法の設計を行うため、被包装物を内部空間に挿入する際には、包装フィルムにより引っ掛かりやすくなる。しかしながら、そのような場合でも、メジウムによって滑り性が向上しているため、被包装物を包装フィルムの内部空間にスムーズに挿入することができる。
【００２２】
上記包装体の製造方法において、前記包装フィルムには、複数の前記内部空間が隣接するように設けられ、複数の前記被包装物が、同一または異なる形状をなしており、前記第３ステップでは、前記包装フィルムの各内部空間に、前記複数の被包装物がそれぞれ挿入されるものとすることができる。
【００２３】
例えば、一の内部空間に被包装物を挿入した後、他の内部空間に被包装物を挿入する際には、先に挿入した被包装物が邪魔となって、また、当該被包装物により内部空間が変形して、後に挿入する被包装物が、より挿入しにくくなる。しかしながら、本発明に係る製造方法では、このような状況であっても、被包装物を、内部空間にスムーズに挿入することができる。
【発明の効果】
【００２４】
本発明によれば、箱などの被包装物を包装フィルムの内部空間から容易に取り外すことができたり、あるいは包装フィルムの内部空間に容易に挿入したりすることができる。
【図面の簡単な説明】
【００２５】
【図１】本発明の包装体の一実施形態に係る包装体の斜視図である。
【図２】図１の包装体における第１商品の斜視図（ａ）及び正面図（ｂ）である。
【図３】図１の包装体における第２商品の斜視図（ａ）及び正面図（ｂ）である。
【図４】フィルム材の平面図である。
【図５】フィルム材の加工の手順を示す平面図（ａ）及び断面図（ｂ）である。
【図６】包装フィルムの平面図（ａ）及び断面図（ｂ）である。
【図７】包装体の製造方法を示す斜視図である。
【図８】シュリンク加工前の包装体の正面図である。
【図９】シュリンク加工前の包装体の側面図である。
【発明を実施するための形態】
【００２６】
以下、本発明に係る包装体及びその製造方法の一実施形態について図面を参照しつつ説明する。図１は、本実施形態に係る包装体の斜視図である。同図に示すように、この包装体は、２つの直方体状の商品、つまり第１商品（被包装物）１及び第２商品（被包装物）２と、これら商品１，２を包装する包装フィルム３と、を備えている。なお、図１では、説明のため包装フィルム３を着色しているが、後述するように、透明または半透明であってもよい。以下、これらを詳細に説明する。
【００２７】
＜１．商品＞
図２は第１商品の斜視図（ａ）及び正面図（ｂ）、図３は第２商品の斜視図（ａ）及び正面図（ｂ）である。図２に示すように、本実施形態に係る第１商品１は、紙や樹脂シートなどによって、形成された第１箱と、この箱の内部に収容される長尺状の第１物品（図示省略）とを備えている。なお、以下では、第１箱を第１商品として説明することがある。この第１箱は、前面１１、背面１２、天面１３、底面１４、第１側面１５、及び第２側面１６を有する直方体状に形成され、第１物品が長尺状であるため、前面１１、背面１２、天面１３、及び底面１４が長く形成されている（以下、長手方向といい、後述する第２商品２でも同じである）。そして、後述するように、包装フィルム３は、第１箱の前面１１、背面１２、天面１３、及び底面１４に巻き付けられる。また、包装フィルム３が巻き付けられる、前面１１、背面１２、天面１３、及び底面１４に沿う方向を周方向と称することがあり、これは第２商品２でも同じである。
【００２８】
第２商品２も、第１商品１と同様の形態であるが、大きさが第１商品１よりも小さくなっている。具体的には、図３に示すように、第２商品２は、紙や樹脂シートなどによって形成された第２箱と、この第２箱の内部に収容される第２物品（図示省略）とを備えている。なお、以下では、第２箱を第２商品として説明することがある。第２物品は、第１物品とは異なるものであるが、第１物品と同様に長尺状に形成されている。そして、第２箱も、前面２１、背面２２、天面２３、底面２４、第１側面２５、及び第２側面２６を有する直方体状に形成されており、長尺状の第２物品に合わせて、前面２１、背面２２、天面２３、及び底面２４が長く形成されている。また、後述するように、包装フィルム３は、第２箱の主として、前面２１、背面２２、天面２３、及び底面２４に巻き付けられるが、長手方向の長さが第２箱よりも長いため、第１側面２５及び第２側面２６の一部も包装フィルム３によって覆われる。
【００２９】
次に、第２箱の表面性状について説明する。第２箱の外面には、箱の質感を高めるため、エンボス加工が施され、外面に凹凸が形成されている。この凹凸は特には限定されないが、例えば、高低差が１５μｍ以上の凹凸とすることができる。また、この凹凸は種々の方法で形成することができ、箱の外面に直接エンボス加工を施したり、あるいはエンボス加工を施したシート材を貼り付けたりすることもできる。また、物理的な加工によってエンボスを形成するほか、いわゆる疑似エンボスを形成することもできる。
【００３０】
疑似エンボスは、例えば、次のように形成することができる。まず、紙製または樹脂製の基材、金属箔をこの順で積層し、金属箔上に商品名、デザイン、商品説明等の印刷を施す。そして、この印刷を覆うようにＯＰニスを塗布する。続いて、ＯＰニス上にＵＶニスを塗布後、ＵＶを照射してこれを硬化させる。ＯＰニスは、ＵＶニスをはじく性質があるため、はじかれたＵＶニスは粒状に盛り上がり、その後、ＵＶにより硬化する。そのため、第２箱の表面には、粒状に盛り上がったＵＶニスによって、擬似的なエンボスが施される。なお、疑似エンボスを箱の外面の全体に形成する必要はなく、例えば、印刷が施された箇所を避けて、ＵＶニスを塗布することもできる。
【００３１】
なお、本実施形態では、第２箱にのみエンボス加工が施されており、第１箱には凹凸を形成するための加工は施されていない。したがって、第１箱としては、例えば、印刷を行った後、ＯＰニスを塗布したものを用いることができる。
【００３２】
＜２．包装フィルム＞
次に、包装フィルム３について説明する。包装フィルム３は、樹脂製のフィルムで形成されており、上記第１商品１及び第２商品２に巻き付けて、これらを一体的に固定するものである。具体的には、矩形状のフィルム材３０を加工し、２つの筒状の内部空間を形成したものである。まず、図４に加工前のフィルム材３０を示す。同図に示すように、このフィルム材３０は、矩形状に形成されており、図中の縦方向が、各商品１，２の長手方向に対応している。フィルム材３０の縦方向の長さは、第１商品１の長手方向の長さよりも短く、第２商品２の長手方向の長さよりもやや長くなっている。
【００３３】
また、フィルム材３０には、第１商品１に巻き付ける第１領域３０１と、第２商品２に巻き付ける第２領域３０２とが設けられている。第１領域３０１は図４の左側に配置され、第２領域３０２は右側に配置される。また、これらは２つの領域３０１，３０２の間には、帯状の隙間領域３０３が設けられている。上記のように、第１商品１の方が周方向の長さが長いため、第１領域３０１の横方向の長さが長くなっている。具体的には、第１領域３０１の横方向の長さは、第１箱の周方向の長さよりもやや長くなっており、第２領域３０２の横方向の長さは、第２箱の周方向の長さよりもやや長くなっている。また、第１領域３０１の帯状の左端部３０６、及び第２領域３０２の帯状の右端部３０４は、後述するように接着が施される領域となる。なお、以下では、フィルム材３０において、加工後に外側を向く面を表面３１、内側（内部空間側）を向く面を裏面３２と称することとする（図５参照）。
【００３４】
そして、このフィルム材３０は、次のように加工される。まず、図５に示すように、裏面３２の第２領域３０２の右端部３０４を隙間領域３０３にヒートシールなどで接着し、第２領域３０２を２つ折りにする。このとき、接着された第２領域３０２の右端部３０４と隙間領域３０３とが重なる帯状の領域を第１接着領域３０５と称することとする。次に、図６に示すように、第１領域３０１を２つ折りにし、裏面３２の第１領域３０１の左端部３０６を、第１接着領域３０５よりもやや右側にヒートシールなどで接着する。第１領域３０１の左端部３０６が接着されるのは、第２領域３０２の表面３１である。このとき、接着された第１領域３０１の左端部３０６と第２領域３０２の表面とが重なる領域を第２接着領域３０７と称することとする。
【００３５】
このようにフィルム材３０を折り曲げて接着することで、包装フィルム３が形成される。図６（ｂ）に示すように、この包装フィルム３は、第１領域３０１により筒状の第１内部空間３１１が形成され、第２領域３０２により筒状の第２内部空間３１２が形成される。いずれも、フィルム材３０の縦方向が内部空間３１１，３１２の軸方向となり、この方向の両端に形成された開口３２１，３２２から各商品１，２が挿入される。
【００３６】
次に、フィルム材３０の材料について説明する。フィルム材３０は、種々の材料で形成できるが、例えば、後述するシュリンク加工が施せる材料であることが好ましく、ポリエチレンテレフタレート、ポリエチレン、ポリプロピレン、ポリ塩化ビニル、ポリスチレンの１種または２種以上の貼りあわせなどで形成することができる。また、フィルム材３０の表面３１及び裏面３２には、印刷を適切に施すために、凹凸が形成されていることが好ましい。このような凹凸は、例えば、高低差が４μｍ以上２０μｍ以下であることがあげられる。また、このような凹凸を形成するには、例えば、フィルム材３０にコロナ放電処理を施したり、あるいは公知の帯電防止剤を塗布したりすることができる。また、フィルム材３０は、透明、半透明、不透明のいずれでもよく、必要に応じて、文字、図形など、商品を表すための印刷を施すことができる。なお、フィルム材３０の厚みは、例えば、２０〜１００μｍとすることができる。
【００３７】
また、フィルム材３０の裏面３２の第２領域３０２には、メジウムが塗布されている。すなわち、包装フィルム３における第２内部空間３１２の内壁面にメジウムが塗布されている。メジウムは、通常は、印刷用着色インキの濃度調整や光沢付与剤として使用される透明インキであり、その組成は特には限定されないが、例えば、ポリウレタン系樹脂組成物、ポリアミド樹脂とニトロセルロースを含む樹脂組成物、ウレタンと塩化ビニル酢酸ビニル共重合体を含む樹脂組成物等を用いることができる。
【００３８】
＜３．包装体の製造方法＞
次に、包装体の製造方法について説明する。まず、上記のように準備した包装フィルム３の第１内部空間３１１及び第２内部空間３１２に、それぞれ第１商品１及び第２商品２を挿入する。このとき、各内部空間３１１、３１２が広がるように折り曲げられたフィルムを離間させ、各内部空間３１１、３１２の開口３２１，３２２から、各商品を挿入する。挿入する順序は、特には限定されないが、例えば、図７に示すように、まず、第２商品２を第２内部空間３１２に挿入することができる。そして、図８及び図９に示すように、包装フィルム３に挿入された第１商品１の天面１３と第２商品２の底面２４とが対向するように配置し、さらに第１商品１及び第２商品２の各背面１２、２２同士、及び各第２側面１６，２６同士がそれぞれ面一になるように両商品１，２の位置を調整する。このとき、包装フィルム３の第１及び第２接着領域３０５，３０７は、第１商品１と第２商品２との間に挟まれた状態となる。また、図８に示すように、第２商品２が、第２内部空間３１２の軸方向の中央付近に収まるように位置決めする。これにより、第２商品２は、第２内部空間３１２に完全に収容され、第１商品１は、第１側面１５側が第１内部空間３１１から突出するが、第２側面１６が第１内部空間３１１内に収容される。
【００３９】
続いて、図９に示すように、第２商品２を第１商品１の天面１３に載せた状態で、包装フィルム３を加熱する。例えば、熱風を吹き付けることができる。これにより、包装フィルム３がシュリンクし、図１に示すように、各商品１，２に密着する。すなわち、いわゆるシュリンク加工を施す。その結果、両商品１，２が包装フィルム３を介して、一体的に固定される。
【００４０】
＜４．特徴＞
以上のように、本実施形態によれば、以下の効果を得ることができる。
（１）第２商品２の外面にはエンボス加工が形成されているが、これが挿入される包装フィルム３の第２内部空間３１２の壁面には、メジウムが塗布されているため、第２商品２を第２内部空間３１２にスムーズに挿入することができる。そのため、包装体の製造を効率的に行うことができる。特に、第２商品２は、周方向に断面矩形状であり、角部を有するため、第２内部空間３１２の壁面に引っ掛かりやすいが、メジウムのよって滑り性が向上するため、引っ掛かるのを防止することができる。同様に、包装フィルム３から第２商品２を取り外す際にも、第２商品２を第２内部空間３１２からスムーズに取り外すことができる。
【００４１】
ここで、メジウムの効果を検証するため、ＪＩＳ  Ｋ７１２５（プラスチック−フィルム及びシート−摩擦係数試験）に基づき、メジウムが塗布されていない、４〜２０μｍの高低差を有する凹凸を形成したＰＥＴ（ポリエチレンテレフタレート）フィルム、当該フィルムにメジウムが塗布されたフィルム、エンボス加工が施されていない箱、及び１５〜３５μｍの高低差を有する凹凸を有するエンボス加工が施されている箱を用いて以下のような試験を行った。まず、メジウムが塗布されていないＰＥＴフィルムに対する、エンボス加工が施されている箱、及びエンボス加工が施されていない箱の摩擦係数を測定したところ、エンボス加工が施されている箱は、エンボス加工が施されていない箱と比べ、静摩擦係数が３８６％上昇し、動摩擦係数は３５１％上昇した。
【００４２】
また、メジウムが塗布されているＰＥＴフィルムに対するエンボス加工が施されている箱の静摩擦係数及び動摩擦係数は、メジウムが塗布されていないＰＥＴフィルムに対するエンボス加工が施されていない箱の静摩擦係数及び動摩擦係数と同等か、それ以下であった。
【００４３】
さらに、エンボス加工が施されていない箱に対し、メジウムが塗布されているＰＥフィルムの静摩擦係数を測定したところ、メジウムが塗布されていないＰＥフィルムの静摩擦係数に比べて、約４０％小さくなった。一方、エンボス加工が施されている箱に対し、メジウムが塗布されているＰＥフィルムの静摩擦係数を測定したところ、メジウムが塗布されていないＰＥフィルムの静摩擦係数に比べて、約７０％も小さくなった。
【００４４】
同様に、エンボス加工が施されていない箱に対し、メジウムが塗布されているＰＥフィルムの動摩擦係数を測定したところ、メジウムが塗布されていないＰＥフィルムの静摩擦係数に比べて、約５０％小さくなった。一方、エンボス加工が施されている箱に対し、メジウムが塗布されているＰＥフィルムの動摩擦係数を測定したところ、メジウムが塗布されていないＰＥフィルムの静摩擦係数に比べて、約８０％も小さくなった。
【００４５】
以上より、メジウムが塗布されたＰＥＴフィルムは、エンボス加工が施されている箱に対して、特に、摩擦係数を低下させる効果があることが分かった。
【００４６】
（２）フィルム材３０の裏面３２にコロナ放電処理や帯電防止剤の塗布などによって凹凸が形成される場合には、包装フィルム３に対する第２商品２の引っ掛かりが特に問題となるが、メジウムが塗布されることで、第２商品２の引っ掛かりを防止することができる。
【００４７】
（３）第１箱にはエンボス加工が施されておらず外面は平滑であるため、第１内部空間３１１の壁面にメジウムを塗布していなくても、第１内部空間３１１に挿入しやすいが、メジウムを塗布していないことで、第１内部空間３１１の壁面の凹凸により第１箱との間に適度な摩擦力が作用する。その結果、第１箱が第１内部空間３１１の壁面から滑り落ちるのを防止することができる。
【００４８】
（４）メジウムは、一般的に透明であるため、例えば、フィルム材３０が透明である場合には、透過性を妨げることがなく、また、第２商品２に施された文字などを、視認することができる。
【００４９】
＜５．変形例＞
以上、本発明の一実施形態について説明したが、本発明はこれに限定されるものではなく、その趣旨を逸脱しない限りにおいて種々の変更が可能である。なお、以下の変形例は、適宜組合わせ可能である。
【００５０】
＜５−１＞
上記実施形態では、第２箱にのみエンボス加工を施しているが、第１箱にもエンボス加工を施すことができる。この場合には、第１内部空間３１１の壁面にメジウムを塗布する必要がある。
【００５１】
＜５−２＞
上記実施形態では、第２箱の外面全体にエンボス加工が施されているが、一部だけにエンボス加工を施すこともできる。この場合、包装フィルム３において、第２箱の取り出し時、あるいは取付時（挿入時）に、少なくとも、第２箱のエンボスが当接する部分にのみメジウムが塗布されていればよい。この点は、第１箱にエンボス加工を施す場合も同様である。
＜５−３＞
第１箱及び第２箱の形状は特には限定されず、上記のような断面矩形状のほか、多角形状にすることもできる。特に、断面の一部に角部を有していると、包装フィルム３に引っ掛かりやすいため、メジウムを塗布した効果を享受することができる。
【００５２】
＜５−４＞
上記実施形態では、包装フィルム３に対し、シュリンク加工を施しているが、シュリンク加工は必ずしも必要ではない。例えば、内部空間３１１，３１２の壁面と各商品１，２との隙間を小さくすれば、各商品１，２を包装フィルム３に固定することができる。また、接着剤などの固定手段を用いて、各商品１，２を包装フィルム３に固定することもできる。
【００５３】
＜５−５＞
包装体を構成する商品の数、包装フィルム３の内部空間の数は特には限定されず、必要に応じて設ければよい。また、内部空間の形成方法も特には限定されない。
【符号の説明】
【００５４】
１  第１商品（被包装物）
２  第２商品（被包装物）
３  包装フィルム
３１１  第１内部空間
３１２  第２内部空間
【図１】
2017088213.tif 000003
【図２】
2017088213.tif 000004
【図３】
2017088213.tif 000005
【図４】
2017088213.tif 000006
【図５】
2017088213.tif 000007
【図６】
2017088213.tif 000008
【図７】
2017088213.tif 000009
【図８】
2017088213.tif 000010
【図９】
2017088213.tif 000011